(57)【要約】【課題】取り付けが簡単で再セットが不可能なバージン性の高い包装用カバーを提案する。【解決手段】合成樹脂製の包装用カバーにおいて、前記包装用カバーを、容器（１）の少なくとも口部（１ａ）より上方を収める凹部を有し、開封後は再取り付けを不能とするシート（３ａ、３ｂ）にて構成する。【選択図】図１
2006082861.tif 000002
【特許請求の範囲】
【請求項１】
合成樹脂製の包装用カバーであって、
前記包装用カバーは、容器の少なくとも口部より上方を収める凹部を有し、開封後は再取り付けを不能とするシートからなることを特徴とする包装用カバー。
【請求項２】
前記包装用カバーは、ヒンジを介して開閉可能な２つ折りのシートからなる請求項１記載の包装用カバー。
【請求項３】
前記包装用カバーが容器口部に取り付けられる液体噴出器の全体を内包するものである請求項１又は２記載の包装用カバー。  
【請求項４】
前記シートは、少なくとも一箇所でシート同士を連結する連結部と、それらの引き剥がしによって該連結部を切り離して開封するタブを有する請求項１〜３の何れかに記載の包装用カバー。
【請求項５】
前記カバーは、サーモフォームによって成形されたものである、請求項１〜４の何れかに記載の包装用カバー。
【発明の詳細な説明】
【技術分野】
【０００１】
本発明は、容器口部に取り付けられるキャップあるいはポンプの押圧や操作レバーの牽曳によって容器内の内容物を噴出させる液体噴出器の包装用カバーに関するものであり、該キャップや噴出器を確実に包装して商品の流通段階での液漏れや改ざんを有利に回避しようとするものである。
【背景技術】
【０００２】
合成樹脂製ボトルとキャップの組み合わせは、シャンプーや台所洗剤等のトイレタリー製品、化粧品、薬品、食品・飲料製品他各種用途に広く使用されている。また、液体噴出器は、噴射ノズルを配置したボディに、液体の吸引、加圧、圧送を司るポンプ機構が組み込まれており、ポンプヘッドを押圧するか操作レバーを牽曳することでピストンをシリンダー内で往復動させ、これによって容器内の内容物を効率的に噴出させることができるものであって、近年、黴取り剤や洗剤、整髪剤、芳香剤等を入れた容器に多用されるようになってきている。
【０００３】
かかるボトルとキャップとの組み合わせでは、例えば、キャップ開封時に切断されるピルファープルーフバンドを備えたり、Ｐシールやタックラベルの貼着、あるいは、注出部に抜栓部を形成するなど様々な方法で容器の改ざん防止を図る構成がとられている。また、噴出器は、内容物が充填された容器にセットした状態で商品として流通しているのが普通であり、流通段階における内容物の漏れや改ざん防止を図る観点から、該噴出器はそれを覆う紙製のカバーにて包装されている（例えば特許文献１参照）。
【特許文献１】特開２００３─２９９９９２号公報
【０００４】
しかしながら、上記従来の方法では、切断部が判別し難かったり、再取り付けが可能であったり、あるいは改ざん防止構成が容器内部であったりするなどの理由により、改ざんがあったかどうか判断しにくい場合があった。例えば、上記カバーは、噴出器の取り付けが煩雑であるわりには簡単に外れてしまうこともあり、再セットが可能であることから改ざんされた後に再びカバーが取り付けられた場合には、改ざんがあったかどうか判断しにくい。
【発明の開示】
【発明が解決しようとする課題】
【０００５】
本発明の課題は、取り付けが簡単で、確実に包装することができ、取り外した後（商品の開封）は再取り付け（再セット）が不可能なバージン性の高い包装用カバーを提案するところにある。
【課題を解決するための手段】
【０００６】
本発明は、合成樹脂製の包装用カバーであって、
前記包装用カバーは、容器の少なくとも口部より上方を収める凹部を有し、開封後は再取り付けを不能とするシートからなることを特徴とする包装用カバーである。
【０００７】
上記の包装用カバーは、ヒンジを介して開閉可能な２つ折りのシートからなるものが好ましい。
【０００８】
また、上記包装用カバーは容器口部に取り付けられる液体噴出器の全体を内包するように用いることができる。
【０００９】
上記の構成になる包装用カバーにおいて、前記シートは、少なくとも一箇所でシート同士を連結する連結部と、それらの引き剥がしによって該連結部を切り離して開封するタブを有するものが好ましい。
【００１０】
さらに、前記カバーは、サーモフォームによって成形することができる。
【発明の効果】
【００１１】
キャップあるいは液体噴出器と容器の少なくとも口部を凹部に適合させ、シートの各先端を重ね合わせてスポット的に熱融着することでキャップあるいは液体噴出器は口部と共にカバー内に格納される。
【００１２】
シートの連結部分を切り離してカバーを開封した後は、カバーを再セットすることができないので、商品の流通段階で改ざんされたかどうかの判断が容易になる。
【発明を実施するための最良の形態】
【００１３】
以下、図面を用いて本発明をより具体的に説明する。
図１は本発明にしたがう包装用カバーの実施の形態をトリガー式液体噴出器に適用した場合について示したものである。
【００１４】
図における１は内容物を充填した容器、２は容器１の口部において装着された液体噴出器、３は液体噴出器２とこれにつながる容器１の口部１ａを収める包装用カバーである。
【００１５】
包装用カバー３はヒンジｈを介して開閉を可能とする２つ折りのシート３ａ、３ｂからなっており、その何れにおいても凹部（外観は凸状になる）が形成され、この凹部が包装空間を形成する。なお、本実施例における凹部は液体噴出器２の全体を覆うとともに該液体噴出器２の外観形状に合致した形状とされており、口部の開封防止と合わせトリガーレバーの牽曳も防止している。
【００１６】
また、４はシート３ａ、３ｂを相互に連結する連結部（熱溶着部）、５は連結部４を切り離してカバーを開封するタブである。なお、シート３ａ、３ｂには両者を嵌合係止する構造のものは形成されておらず、連結部４においてポイント状に熱融着されているのみである。
【００１７】
上記の包装用カバーは、開封時にはポイント状に熱融着されている連結部４を強制的に引き剥がした後、ヒンジｈを基点に開閉するだけで噴出器の格納と取り出しを簡単に行うことができ、取り出した後においては、凹凸嵌合等の部位が形成されていないため再セットが不可能で、改ざんされたかどうかが簡単に見分けられる。
【００１８】
本発明にしたがう包装用カバーは合成樹脂製のシートをサーモフォームやインジェクション成形によって成形することができが、とくに、サーモフォームにより成形されるのが好ましい。
【００１９】
シートをサーモフォームで成形した場合、予め、シート外面に注意書き・能書他の印刷を施したものを成形、使用することにより、後工程でのラベルの貼着等が不要となり、シート表面への加飾を容易とすることができる。
【００２０】
シート３ａ、３ｂを相互に連結する連結部４については、カバーの取り外しを容易とするため、図２に示すようなスリットｓを複数入れてスリットｓに囲まれた部位のみを熱融着しておき、カバーの取り外しに際してスリットｓの相互間の連絡部ｓ１を切り離すことでカバーの再セットを防ぐ構造とすることも可能である。
【００２１】
また、シート３ａ、３ｂは上掲のものに限らず、図３（ａ）に示すように２パーツに分離成形したものを用いたり、あるいは、図３（ｂ）に示すようにシートの一方を平面とし他方にのみ凹部を形成したものを用いることもできる。シートの一方を平面とした図３（ｂ）に示したものにおいては、該平面に加飾を施すことにより、記載された文字等が見やすくなる効果も生じる。
【００２２】
さらには、連結部４は熱融着に限るものではなく、例えば、剥がすと開封を示す文字が現れるタックシールなどを用いてもよい。
【産業上の利用可能性】
【００２３】
取り付けが簡単で、取り外した後は再セットが不可能なバージン性の高い包装用カバーが提供できる。
【図面の簡単な説明】
【００２４】
【図１】本発明にしたがう包装用カバーの実施の形態を示した図である。
【図２】連結部の拡大図である。
【図３】（ａ）（ｂ）は、それぞれ本発明にしたがう包装用カバーの他の実施の形態を示した図である。
【符号の説明】
【００２５】
１  容器
１ａ  口部
２  液体噴出器
３ａ  シート
３ｂ  シート
４  連結部
５  タブ
ｈ  ヒンジ
【図１】
2006082861.tif 000003
【図２】
2006082861.tif 000004
【図３】
2006082861.tif 000005